(57)【要約】【課題】第１方向及び第２方向に沿って設備配管を自由に設置することができ、設備配管ルートの設定自由度の高い建物を提供する。【解決手段】少なくとも一対の第１架構部Ｋ１と、一対の第１架構部Ｋ１の間に配置される第２架構部Ｋ２とが、第１方向Ｘに並ぶ状態で備えられ、第２方向Ｙの柱スパンが、第１方向Ｘの柱スパンよりも小に構成され、第２架構部Ｋ２において、第１方向梁２３Ｘの梁長方向中間部を省略し、その省略した領域Ｓ１に第２方向設備配管スペースＳＹが形成され、一対の第１架構部Ｋ１と第２架構部Ｋ２との境界において、第２方向Ｙに延びる第２方向梁を無くし、その無くした領域Ｓ２に第１方向設備配管スペースＳＸが形成されている。【選択図】図２
2020204203.tif 000002
【特許請求の範囲】
【請求項１】
少なくとも一対の第１架構部と、前記一対の第１架構部の間に配置される第２架構部とが、平面視で第１方向に並ぶ状態で備えられている建物であって、
平面視で前記第１方向に交差する第２方向の柱スパンが、前記第１方向の柱スパンよりも小に構成され、
前記第２架構部において、前記第１方向に延びる第１方向梁の梁長方向中間部を省略し、その第１方向梁の梁長方向中間部を省略した領域に前記第２方向に沿わせて設備配管を配置可能な第２方向設備配管スペースが形成され、
前記一対の第１架構部と前記第２架構部との境界において、前記第２方向に延びる第２方向梁を無くし、その第２方向梁を無くした領域に前記第１方向に沿わせて設備配管を配置可能な第１方向設備配管スペースが形成されている建物。
【請求項２】
前記第２方向に並ぶ状態で建物外部側に配置される外部柱が、前記第２方向に偏平な第２方向偏平柱として構成され、
建物内部側に配置される内部柱が、前記第１方向に偏平な第１方向偏平柱として構成されている請求項１記載の建物。
【請求項３】
前記一対の第１架構部に居室が構成され、且つ、前記第２架構部に廊下が構成されている請求項１又は２記載の建物。
【発明の詳細な説明】
【技術分野】
【０００１】
本発明は、柱と梁等からなる複数の架構部が備えられている建物に関する。
【背景技術】
【０００２】
特許文献１には、少なくとも一対の第１架構部と、それら一対の第１架構部の間に配置される第２架構部とが、平面視で第１方向に並ぶ状態で備えられている建物において、第２架構部における第１方向に延びる第１方向梁の梁長方向中間部を省略し、その第１方向梁の梁長方向中間部を省略した領域に第２方向に沿って設備配管を配置可能な第２方向設備配管スペースを形成する点が開示されている。
また、特許文献２には、同種構造の建物において、第２架構部における第１方向に延びる第１方向梁を無くし、その第１方向梁を無くした領域に第２方向設備配管スペースを形成する点が開示されている。
【先行技術文献】
【特許文献】
【０００３】
【特許文献１】特開２０１７−１１５４９４号公報
【特許文献２】特開２００２−０９７７１５号公報
【発明の概要】
【発明が解決しようとする課題】
【０００４】
上記特許文献１、２に記載の建物では、天井裏空間等の直上のスラブの下方空間において、第２方向設備配管スペースを通じて第２方向に沿って設備配管を自由に設置できるものの、第１方向に沿って設備配管を配置するためには、事後的に、第２方向に沿って延びる第２方向梁に設備配管を挿通させるための挿通穴を貫通形成しなければならい。しかしながら、第２方向梁に対して形成可能な挿通穴の個数や位置には制限があるので、第２方向に沿っては設備配管を自由に設置できない。その結果、設備配管ルートの設定自由度が低いという問題がある。
この実情に鑑み、本発明の主たる課題は、第１方向及び第２方向に沿って設備配管を自由に設置できる設備配管ルートの設定自由度の高い建物を提供する点にある。
【課題を解決するための手段】
【０００５】
本発明の第１特徴構成は、少なくとも一対の第１架構部と、前記一対の第１架構部の間に配置される第２架構部とが、平面視で第１方向に並ぶ状態で備えられている建物であって、
平面視で前記第１方向に交差する第２方向の柱スパンが、前記第１方向の柱スパンよりも小に構成され、
前記第２架構部において、前記第１方向に延びる第１方向梁の梁長方向中間部を省略し、その第１方向梁の梁長方向中間部を省略した領域に前記第２方向に沿わせて設備配管を配置可能な第２方向設備配管スペースが形成され、
前記一対の第１架構部と前記第２架構部との境界において、前記第２方向に延びる第２方向梁を無くし、その第２方向梁を無くした領域に前記第１方向に沿わせて設備配管を配置可能な第１方向設備配管スペースが形成されている点にある。
【０００６】
本構成によれば、第１方向設備配管スペースと第２方向設備配管スペースの両方が形成されているので、第１方向及び第２方向に沿わせて設備配管を自由に設置することができ、設備配管ルートの設定自由度の高い建物とすることができる。
しかも、第１方向設備配管スペースは、柱スパン（柱間隔）が小さくて梁を無くすことによる耐力上の影響が小さい側の第２方向で第２方向梁を無くして形成し、他方、第２方向設備配管スペースは、柱スパン（柱間隔）が大きくて梁を無くすことによる耐力上の影響が大きい側の第１方向で第１方向梁の梁長方向中間部を省略し、当該第１方向梁の少なくとも梁長方向両端部は残して形成する。そのため、第１方向設備配管スペース及び第２方向設備配管スペースを建物の所期の耐力を確保しながら形成することができ、設備配管ルートの設定自由度の高い建物を合理的に構成することができる。
【０００７】
本発明の第２特徴構成は、前記第２方向に並ぶ状態で建物外部側に配置される外部柱が、前記第２方向に偏平な第２方向偏平柱として構成され、
建物内部側に配置される内部柱が、前記第１方向に偏平な第１方向偏平柱として構成されている点にある。
【０００８】
本構成によれば、柱スパンの小さい側の第２方向では、第２方向に偏平な第２方向偏平柱として構成された第２方向に並ぶ外部柱にて、第２方向梁を無くした分の水平力を適切に負担することができる。他方、柱スパンの大きい側の第１方向では、第１方向に偏平な第１方向偏平柱として構成された内部柱にて、第１方向梁の梁長方向中間部を省略した分の水平力を適切に負担することができる。よって、設備配管ルートの設定自由度の高い建物を一層合理的に構成することができる。
【０００９】
本発明の第３特徴構成は、前記一対の第１架構部に居室が構成され、且つ、前記第２架構部に廊下が構成されている点にある。
【００１０】
本構成によれば、第１方向で廊下の両側に居室が構成された中廊下型の建物を構成することができる。そして、廊下に第２方向に沿って設備配管（例えば、各居室に共通の設備配管）を設置し、且つ、その廊下から廊下の両側の居室に第１方向に沿って設備配管（例えば、居室毎の個別の設備配管）を設置することで、中廊下型の建物に特に適した設備配管ルートを設定することができる。
【図面の簡単な説明】
【００１１】
【図１】本発明の建物の各階の主要な構造部分を示す斜視図
【図２】本発明の建物の主要な構造部分を示す平面配置図
【図３】図２のＩＩＩ−ＩＩＩ線断面図
【図４】図２のＩＶ−ＩＶ線断面図
【図５】本発明の建物の間取りを示す平面配置図
【発明を実施するための形態】
【００１２】
本発明の建物の実施形態を図面に基づいて説明する。
図１〜図４は、本発明の建物Ｂの主要な構造部分を示し、柱１０や大梁２０、スラブ３０、耐力壁４０等を表し、間仕切り壁５０やガラス窓６０等は省略している。図５は、本発明の建物Ｂの間取りを示し、柱１０に加えて間仕切り壁５０やガラス窓６０等を表している。
【００１３】
図１に示すように、建物Ｂは、複数の柱１０と柱１０同士の間に設けられる複数の大梁２０とを有する架構構造が用いられている。図３、図４に示すように、建物Ｂにおける各階の架構構造の上部にスラブ３０が備えられている。また、各階の架構構造には、水平力に抵抗するための耐力壁４０（図１参照）等が適宜に備えられている。本実施形態では、柱１０や大梁２０、スラブ３０、耐力壁４０等は鉄筋コンクリート造にて構成されている。
【００１４】
そして、建物Ｂには、少なくとも一対の第１架構部Ｋ１と、当該一対の第１架構部Ｋ１の間に配置される第２架構部Ｋ２とが、平面視でＸ方向（図２中の左右方向、第１方向に相当する）に並ぶ状態で備えられている。一対の第１架構部Ｋ１は、建物ＢにおけるＸ方向の両端側に分けて配置され、第２架構部Ｋ２は、建物ＢにおけるＸ方向の中央側に配置されている。第１架構部Ｋ１及び第２架構部Ｋ２は、平面視でＸ方向に直交（交差の一例）するＹ方向（図２中の上下方向、第２方向に相当する）の全長に亘って備えられている。この建物Ｂでは、Ｙ方向の柱スパン（柱間隔）が、Ｘ方向の柱スパン（柱間隔）よりも小に構成されている。
【００１５】
第１架構部Ｋ１は、図２〜図４に示すように、Ｙ方向に並ぶ状態で建物外部側に配置される複数の外部柱１１と、Ｙ方向で隣り合う外部柱１１同士に亘る大梁２０としてのＹ方向梁（第２方向梁に相当する）２１Ｙと、当該外部柱１１にＸ方向で隣接して建物内部側に配置される内部柱１２と、それら外部柱１１と内部柱１２とに亘る大梁２０としての第１のＸ方向梁（第１方向梁の一例）２２Ｘと、を備えて構成されている。
【００１６】
そして、一対の第１架構部Ｋ１と第２架構部Ｋ２との境界において、Ｙ方向で隣り合う内部柱１２同士の間のＹ方向梁を無くし、そのＹ方向梁を無くした領域Ｓ２にＸ方向に沿わせて設備配管Ｈを配置可能なＸ方向設備配管スペース（第１方向配管スペースに相当する）ＳＸが形成されている。
そのため、天井裏空間等のスラブ３０の下方空間において、Ｘ方向設備配管スペースＳＸを通じてＸ方向に沿わせて設備配管Ｈ（図４参照）を設置することができ、Ｘ方向に延びる設備配管ルートＲ（図２参照）を設定することができる。
【００１７】
第２架構部Ｋ２は、図２、図３に示すように、Ｘ方向で隣り合う一対の内部柱１２と、当該一対の内部柱１２の間に配置されてＸ方向に延びる第２のＸ方向梁２３Ｘ、とを備えて構成されている。
そして、この第２架構部Ｋ２では、第２のＸ方向梁２３Ｘの梁長方向中間部を省略し、その第２のＸ方向梁２３Ｘの梁長方向中間部を省略した領域Ｓ１にＹ方向に沿わせて設備配管Ｈを配置可能なＹ方向設備配管スペース（第２方向設備配管スペース）ＳＹが形成されている。第２のＸ方向梁２３Ｘは、一対の内部柱１２の各々からＸ方向に沿って建物内部側に張り出す一対の張り出し梁２３ａからなり、梁長方向中間部を無くした梁構造として構成されている。
そのため、天井裏空間等のスラブ３０の下方空間において、Ｙ方向設備配管スペースＳＹを通じてＹ方向に沿わせて設備配管Ｈ（図３参照）を設置することができ、Ｙ方向に延びる設備配管ルートＲ（図２参照）を設定することができる。
【００１８】
このように、Ｘ方向設備配管スペースＳＸ及びＹ方向設備配管スペースＳＹの両方がスラブ３０の下方空間に形成されているので、Ｘ方向及びＹ方向に沿わせて設備配管Ｈを自由に設置することができ、設備配管ルートＲの設定自由度の高い建物Ｂとすることができる。
【００１９】
しかも、Ｘ方向設備配管スペースＳＸは、柱スパンが小さくて大梁２０を無くすことによる耐力上の影響が小さい側のＹ方向でＹ方向梁を無くして形成し、他方、Ｙ方向設備配管スペースＳＹは、柱スパンが大きくて大梁２０を無くすことによる耐力上の影響が大きい側のＸ方向で第２のＸ方向梁２３Ｘの梁長方向中間部を省略し、当該Ｘ方向梁２３Ｘの少なくとも梁長方向両端部は残して形成する。
そのため、建物Ｂにおける所期の耐力を確保しながら両設備配管スペースＳＸ，ＳＹを形成することができ、設備配管ルートＲの設定自由度の高い建物Ｂを合理的に構成することができる。
【００２０】
更に、この建物Ｂでは、Ｙ方向に並ぶ状態で建物外部側に配置される外部柱１１が、第２方向に偏平なＹ方向偏平柱（第２方向偏平柱に相当する）として構成されている。例えば、外部柱１１の断面形状は、長辺をＹ方向に配置して短辺をＸ方向に配置したＹ方向に長い長方形状に構成されている。
【００２１】
また、建物内部側に配置される内部柱１２が、Ｘ方向に偏平なＸ方向偏平柱（第１方向偏平柱に相当する）として構成されている。例えば、内部柱１２の断面形状は、長辺をＸ方向に配置して短辺をＹ方向に配置したＸ方向に長い長方形状に構成されている。
【００２２】
そのため、柱スパンの小さい側のＹ方向では、Ｙ方向偏平柱として構成された外部柱１１にて、Ｙ方向梁を無くした分の水平力を適切に負担することができる。他方、柱スパンの大きい側のＸ方向では、Ｘ方向偏平柱として構成された内部柱１２にて、第２のＸ方向梁２３Ｘの梁長方向中間部を省略した分の水平力を適切に負担することができる。
【００２３】
なお、この建物Ｂでは、図１に示すように、柱スパンの大きい側のＸ方向の水平力を負担するように、Ｘ方向に沿って耐力壁４０を備えさせることができる。また、柱スパンの小さい側のＹ方向の水平力を負担するようにＹ方向梁２１Ｙを、梁幅を通常よりも小にして梁せいを通常よりも大にしたウォールガーターとして構成することができる。
【００２４】
そして、この建物Ｂは、図５に示すように、間仕切り壁５０やガラス窓６０等にて平面的に区画することにより、Ｘ方向において廊下（Ｙ方向に延びる廊下）の両側に居室が構成された中廊下型の建物Ｂとして好適に構成することができる。
この場合、例えば、一対の第１架構部Ｋ１に居室が構成され、第２架構部Ｋ２に廊下が構成される。図５に示す例では、第１架構部Ｋ１の全部と第２架構部Ｋ２のＸ方向端部を含む領域に居室が区画形成され、第２架構部Ｋ２のＸ方向中間部（Ｙ方向設備配管スペースＳＹ（図１参照）の形成箇所）に廊下が区画形成される。
【００２５】
このようにすれば、該当階の天井裏空間等の直上のスラブ３０の下方空間において、図１及び図５に示すように、Ｙ方向に延びる廊下に沿って各居室に共通の設備配管（図示省略）を設置し、且つ、その廊下から廊下両側の居室に向かってＸ方向に沿って居室毎の個別の設備配管（図示省略）を設置するなど、中廊下型の建物Ｂに特に適した設備配管ルートＲを設定することができる。
【００２６】
〔別実施形態〕
本発明の他の実施形態について説明する。尚、以下に説明する各実施形態の構成は、それぞれ単独で適用することに限らず、他の実施形態の構成と組み合わせて適用することも可能である。
【００２７】
（１）上記実施形態では、梁長方向中間部が省略された第２のＸ方向梁２３Ｘが、梁長方向中間部にて分断された一対の張り出し梁２３ａにて梁長方向中間部を無くした梁構造として構成されている場合を例に示したが、例えば、梁長方向中間部における上方部位を残して下方部分のみを省略したハンチ梁にて梁長方向中間部の下方部分のみを無くした梁構造として構成されていてもよい。
【００２８】
（２）上記実施形態では、建物Ｂが、Ｘ方向において廊下の両側に居室が構成された中廊下型の建物として構成される場合を例に示したが、中廊下型以外の各種のタイプの建物として構成することができる。
【符号の説明】
【００２９】
Ｂ          建物
Ｈ          設備配管
Ｋ１        第１架構部
Ｋ２        第２架構部
１０        柱
１１        外部柱
１２        内部柱
２０        大梁（梁）
２１Ｙ      Ｙ方向梁（第２方向梁）
２２Ｘ      第１のＸ方向梁（第１方向梁）
２３Ｘ      第２のＸ方向梁（第１方向梁）
ＳＸ        Ｘ方向設備配管スペース
ＳＹ        Ｙ方向設備配管スペース
【図１】
2020204203.tif 000003
【図２】
2020204203.tif 000004
【図３】
2020204203.tif 000005
【図４】
2020204203.tif 000006
【図５】
2020204203.tif 000007